(57)【要約】      （修正有）【課題】妊娠はきわめて個人的な事柄であるうえ、１ヶ月は４週、全妊娠期間は４０週という産科学の基準は通常のカレンダーを利用し難くする。これらの問題点を解決し，誰もが簡単に自分用のカレンダーをもてるようにするのはどうしたらよいか、が課題であった。【解決手段】１０か月の妊娠期間中は「現在妊娠第何週」という数え方がすべての基準となる。妊婦が自分のそれを簡単に知ることができるカレンダーの型式を考案した。懐妊から出産に至る１０ヶ月間にかぎり、第１週から第４０週まで週単位の日付を各人が書き込むことによって、簡単に自分用のカレンダーが作成でき、「現在妊娠何週目」かがひとめでわかるよう工夫された、必要な型式の印刷された１枚のカレンダー作成用カードを提供する。【選択図】図１
0003101522.tif 000002
【実用新案登録請求の範囲】
【請求項１】
懐妊から出産に至る１０ヶ月間すなわち４０週間に限り、第１週から第４０週まで週単位の日付を書き込み、「現在妊娠何週目」かがひとめで分かるよう工夫された型式をもつ、１枚のカレンダー作成用カード。カードは、２つ折りの体裁をとる。
【請求項２】
請求項１と同一の型式をもつ、１枚の書き込み式カレンダー作成用カード。カードは、栞状の体裁をとる。
【考案の詳細な説明】
【技術分野】
【０００１】本考案のカレンダーは、懐妊から出産に至る１０ヶ月間すなわち４０週間に限り、第１週から第４０週まで週単位の日付を各個人が書き込み、「現在妊娠何週目」かがひとめで分かるよう工夫された型式をもつ、１枚のカレンダー作成用カードである。カードは、２つ折りの体裁をもつものと、１枚の栞状のものとの２種類とし、妊婦自身、家族、産科医師等医療関係者の使用に際し、どちらかを選択できるようにする。
【背景技術】
【０００２】カレンダーに関する特許や実用新案には従来多種多様のものがあり、出産に関連するカレンダーに限っても、出産予定日までの残り日数をカウントダウン方式で表示させるカレンダーは考案されているが（公開特許公報公開番号特開平１０−２４６７２）、赤ちゃんの受胎から出産までの期間を特定した、週単位の、個人用書き込み式カレンダーカードは存在しない。【０００３】妊娠がわかってから出産に至る期間は妊婦自身にとっても周囲の人々にとっても特別な期間であり、この長丁場をいかに安全に過ごすかが、各家庭の条件下もっとものぞましい出産に直結する要諦である。関係者にとって出産予定日までの残り日数を単に数えるよりはるかに重要なことは、１０ヶ月、４０週という妊娠期間全体を現実のカレンダーと連動してひとめで把握し、現在おなかの赤ちゃんは受胎後何週目にいるか、あるいは将来の特定の月日に第何週まで育っているかを簡単に知り得ることである。産科医学においてはひと月はきっちり４週間からなり、妊娠期間は４０週、受胎後２８０日目を出産予定日とする考え方なので、市販のカレンダーを使用することには、はじめから無理があるのである。
【考案の開示】
【考案が解決しようとする課】
【０００４】解決しようとする問題は、現時点あるいは妊娠期間中の特定の月日が、妊娠何ヶ月第何週目に当たるかをひとめで把握できるカレンダーを作ることである。胎児の成長は万人共通の過程をたどり、妊婦の生活上の注意事項にも共通の流れがある。すべての産科医師や助産婦は「現在妊娠何週目」という基準に従って妊婦を検診し、注意をあたえる。妊婦自身もおなかの赤ちゃんの成長をこの基準で認識する。出産関連の書物もすべて同基準に従って記述されている。今日あるいは将来の特定の月日が「妊娠何週目」にあたるかを直ちに知り得ることの重要性と、常時身辺に備えることの便宜性がこれによっても容易に理解できよう。一方、妊娠や出産は別して個人的な事柄であり、既成の万人向けカレンダーはあり得ない。個々人で異なる妊娠暦を市販のカレンダーに書き込むことはできようが、きわめて煩雑な作業であり、わかりにくいものしか出来上がらない。
【課題を解決するための手段】
【０００５】本考案は、妊婦やその家族が自分たちのための特別なカレンダーを簡単に作成することの出来る、型式の印刷された１枚の書き込み式カードを提供することである。カードは美しい印刷物とする。図面に示すように、書き込み部分の型式の基本は、４１行×９欄からなる表である。最初の１行目はタイトル用で、左より１欄は月数、２欄は週数、３〜９欄は７曜のための欄である。以下の４０行は、４行ごとに太線で１０区分し、月数の欄に第１月から第１０月までの数字を印刷する。ついで週数の欄に１から４０までの数字を印刷し、第何週かを明示する。７曜のための７欄４０行は、各人が月日を書き込むための空欄である。月、火、水、木、金、土、日の７種の文字と１月〜１２月の文字は、シールに印刷してカードに添付する。妊婦は最初の検診で、医師あるいは助産婦より、出産予定日を知らされる。本考案のカレンダーの使用者は、７欄４０行の空白の最後の升目に、まずこの月日を記入する。ついでその日付が何曜日に当たるのかを確かめ、第１行目の最右欄にその曜日のシールを貼り、他の６欄の曜日もシールで埋める。続いて、出産予定日から逆に月日を書き入れて空欄を埋める。ところどころに月名のシールを貼る。つまりこのカレンダーは、たとえば出産予定日が火曜日なら第１週第１日目が水曜日から始まる、途切れのない２８０日分の表となる。本考案のカードカレンダーの作成方法およびシールの使い方についての説明文は、別紙に印刷し、カードに添える。
【考案の効果】
【０００６】本考案の効果としてはさまざまなことが考えられる。まず、カレンダー作成時の効果がある。使用者は２８０の空欄を数字で埋めなければならないが、きわめて僅かの時間しか要しないうえ、出産を待つ者にとっては、それは楽しい作業と言える。新しい生命を宿した妊婦自身は、月日の数字を書き入れながら快い緊張感を味わい、ある種の心構えの芽生えを実感するであろう。胎児の父親や家族の人々もカードを購入し数字を書き入れれば、妊婦を支えるうえで実生活上便利なカレンダーを得ることになると同時に、家族の絆をも深めるであろう。妊娠期が進めば、本考案のカレンダーカードの効果はいよいよ本領を発揮する。妊婦は現在だけでなく、すでに経過した月日も、やがて来る月日も一目瞭然に把握できる。現時点での胎児の状態を知り、今は何に注意しなければならないかを認識できるのみか、過去にも来たるべき日にも思いを巡らせることができる。あと何週間すぎれば安定期に入るからそのときにこれこれをしよう、この準備をするにはこの週がよい、今はつらいが何週間前はつわりの時期でもっと苦しかったのだからがんばろう、この週に入ったからそろそろ早産に注意しなければ、もうひと頑張りすれば３週間後の今日は出産予定日だ・・・等々、本考案によるカレンダーカードは、妊婦にとっては生活の基本を支え、物心両面にわたって自律的なコントロールを強化する助けとなるであろう。産科医師や助産婦は、妊婦がこのカレンダーカードを持つこと、あるいは携帯して受診することを大いに歓迎するであろう。医師側と妊婦双方の情報のやりとりが確実にでき、次の検診日までの注意を与えるにも妊婦の理解度に信頼をおくことができるからである。さらに、忘れてならないのは赤ちゃん自身のことである。本考案のカレンダーカードは、胎児の健やかな成長と安全な出産を願いこの目的に役立つという本質的な効果以外に、もうひとつの価値をもっている。本カレンダーの最後に記される出産予定日は、妊婦とその家族にとって輝かしいゴールの日であり、この日付を励みに毎日を送る。さまざまな事情によって予定日より早く生まれる赤ちゃんも、家族の祝福に恵まれるとはいえない赤ちゃんもいるであろう。しかし、このカレンダーを作ったお母さんは、我が子の出産に向けて毎日毎日を懸命に過ごしてきたことに変わりはない。お母さんに使われたカレンダーカードは、産まれた子供にとって、将来かけがえのない記念品となるであろう。
【考案を実施するための最良の形態】
【０００７】課題を解決するための手段の項で触れたように、本考案のカレンダーカードの骨子を成す書き込みの型式は、美しいカードに印刷されることが最良の形態である。カードには２種類の形が考えられる。
【実施例１】
【０００８】本考案の実施例１は、日本工業規格Ａ列５番あるいはそれより一回り大きいＢ列５番の紙を使用し、その長辺を２つ折りにしたカードに多色印刷する。バースデーカード等多種多様の市販カードの大半と同仕様であり、封筒も付ける。以下の図面［図１］に示すように、カードの見開き左面に第１〜第５月、第１〜第２０週分を印刷し、右面に後半の第６〜第１０月、第２１〜第４０週分を印刷する。カードの外面は、懐妊を祝い出産を待つ気持ちにふさわしいデザインの図柄をほどこす。「赤ちゃんカレンダー：懐妊から出産まで」、「Ｅｍｂｒｙｏｎｉｃ  Ｃａｌｅｎｄａｒ」等々の文字を入れるデザインも考えられる。この２つ折りカード形式のカレンダーは、親しい人から妊婦やその家族への贈り物としても喜ばれるであろう。
【実施例】
【０００９】本考案の実施例２は、縦長のカードに印刷し、読書用の「しおり」として使うのに便利な形とする。カードの大きさは任意であるが、日本工業規格Ｂ列５番の長辺を三分割した大きさ（縦１８．２センチメートル横８．８センチメートル）程度が、文字が細かすぎず適当かと思われる。カードの表面には、４１行９欄の表を印刷する。妊婦の多くは、おなかの赤ちゃんの成長に伴い、その時々のさまざまな注意や情報の記載された書物を読み進めながら出産までの日々を送る。このカードは、書物の情報を自分自身の状況に照らし合わせるのに役立ち、便利この上ない栞として機能するであろう。
【産業上の利用可能性】
【００１０】本考案の書き込み式カレンダーカードは、市場に大きな需要が見込まれる。特に実施例１の形は必ずや市場に歓迎されるであろう。デパート、スーパー、専門店等々のカード売り場を見ればわかるとおり、近年我が国でも多種多様のカードが日常的に使われるようになっている。しかし、本考案の型式をもつカードはいまだに現れていない。考案者久我行子は、すでに３０数年前、我が子の妊娠時にこの型式を思い付き、３人の子供たちそれぞれの出産にむけて手製のカードカレンダーを使い、これがなくてはならないほど便利であることを痛感した。その後友人たちや娘の出産に際してもそれぞれのカードカレンダーを手作りし、大いに喜ばれた経験をもつ。このように便利な書き込み式カードカレンダーは、必ずや市販されるであろうと思っていたが、発案から３３年経った現在もいまだに市場に現れていない。２００３年６月、若い友人のためにまたもやカードカレンダーを手作りしてプレゼントしたところ、こんなに便利な赤ちゃんカレンダーはない、ぜひとも考案を登録すべきだと言われたことが、実用新案登録願いを提出する動機となっている。本考案によるカードカレンダーの需要は、国内だけにとどまらないであろう。本考案の形式が印刷された日本製の美しいカードは、カードの使用が生活の上で欠かせない欧米社会において、必ずや注目をひくであろう。単価は安い商品ながら、需要は世界に広がり、我が国のすぐれたデザインと印刷分野を通じ、産業に貢献するところは大いにあると考えられる。
【図面の簡単な説明】
【００１１】
【図１】実施例１の２つ折りカード見開きの型式図。図は、日本工業規格Ａ列５番の紙を使用した場合のほぼ実寸大である。
【図２】実施例２の縦長カードの型式図。図は、日本工業規格Ｂ列５番の紙を三分割した大きさにほぼ等しい。
【符号の説明】
【００１２】Ａ：  曜日用の文字を印刷したシール７枚。ａ：  出産予定日の曜日を基準にした各自の順列で、カレンダーの第１行目（タイトル行）にａのように添付する。ａはシールの最大の大きさをも示すが、当該枠よりやや小さくとも可。Ｂ：  月名を印刷したシール１２枚。ｂ：  各自の出産予定日を起点にカレンダーの最後の空欄から月日を書き込むとき、朔日（ついたち）にあたる欄の左端にｂのように添付する。ｂはシールの大きさをも示す。使用されない月名シールは破棄する。
【図１】
0003101522.tif 000003
【図２】
0003101522.tif 000004
【手続補正書】
【提出日】平成15年11月18日(2003.11.18)
【手続補正１】
【補正対象書類名】実用新案登録請求の範囲
【補正対象項目名】全文
【補正方法】変更
【補正の内容】
【実用新案登録請求の範囲】
【請求項１】
懐妊から出産に至る１０ヶ月間すなわち４０週間にかぎり、第１週から第４０週までの日付を週単位で書き込むための記入欄が設けられ、現在「妊娠何ヶ月何週目」であるかが一目瞭然で分かるように工夫された、１枚の書き込み式カレンダー作成用カードであって、以下の構造と形状をもつ。
（１）カードは耐久性のある縦長もしくは２つ折りにした用紙に、４１行９欄で区切った升目が印刷されたものであり、第１行目はタイトル用で、左より１欄は月数、２欄は週数、３〜９欄は７曜表示の欄とし、２行目以下の４０行は４行ごとに太線で１０区分し、月数の欄に１から１０までの数字、週数の欄に１から４０までの数字が印刷され、３〜９欄の４０行は、カード使用者が４０週間の日付を書き込むための空欄で、２８０（７×４０）日分の小さな升目が印刷されている。
（２）カードに合わせ、書き込み作業に利用するための２組の小さなシールを付し、ひと組は暦月としての１月〜１２月が印刷された１２枚のシール、もうひと組は月、火、水、木、金、土、日と印刷された７枚のシールである。